(57)【要約】【課題】面倒な接続作業を必要とせずに、メモリ容量の少ない携帯端末機器のデータを転送可能とし、そのデータを当該機器に対応付けて保存管理する。【解決手段】携帯電話（携帯端末機器）１６とＤＶＤレコーダ（データ処理装置）１１にはＢＴの通信機能が搭載される。ＤＶＤレコーダ１１は所定の範囲内で携帯電話１６と無線通信により接続し、その携帯電話１６に固有の識別情報を取得する。そして、ＤＶＤレコーダ１１は、この識別情報に基づいて当該機器に対応したデータの保存先を設定し、その保存先に携帯電話１６から転送されたデータを保存する。これにより、面倒な接続作業を必要とせずに、メモリ容量の少ない携帯電話１６のデータをＤＶＤレコーダ１１に転送して当該機器に対応付けて保存管理することができる。【選択図】      図１
2006186438.tif 000002
【特許請求の範囲】
【請求項１】
携帯端末機器と所定の範囲内で無線通信により接続する接続手段と、
この接続手段によって接続された上記携帯端末機器に固有の識別情報を取得する識別情報取得手段と、
この識別情報取得手段によって得られた識別情報に基づいて当該機器に対応したデータの保存先を設定する保存先設定手段と、
この保存先設定手段によって設定された保存先に上記携帯端末機器から転送されたデータを保存する保存手段と
を具備したことを特徴とするデータ処理装置。
【請求項２】
上記携帯端末機器からデータ返却指示があったときに、上記識別情報に基づいて当該機器に対応したデータの保存先を検索する検索手段と、
この検索手段により検索された保存先からデータを読み出して上記携帯端末機器に返却する返却手段と
をさらに具備したことを特徴とする請求項１記載のデータ処理装置。
【請求項３】
所定のデータを記憶した記憶手段と、
上記携帯端末機器の機種情報を取得する機種情報取得手段と、
この機種情報取得手段によって得られた機種情報に基づいて上記記憶手段に記憶されたデータを編集する編集手段と、
この編集手段によって編集されたデータを上記携帯端末機器に転送する転送手段と
をさらに具備したことを特徴とする請求項１記載のデータ処理装置。
【請求項４】
携帯端末機器と所定の範囲内で無線通信により接続する接続手段と、
この接続手段によって接続された上記携帯端末機器に固有の識別情報を取得する識別情報取得手段と、
この識別情報取得手段によって得られた識別情報に基づいて当該機器に対応したデータの保存先を設定する保存先設定手段と、
この保存先設定手段によって設定された保存先に上記携帯端末機器から転送されたデータを保存する保存手段と、
上記携帯端末機器の特定の動作を検出する動作検出手段と、
この動作検出手段によって上記携帯端末機器の特定の動作が検出された場合に、上記保存手段により保存されたデータを用いて上記特定の動作に関連した所定の処理を実行する処理手段と
を具備したことを特徴とするデータ処理装置。
【請求項５】
上記動作検出手段は、無音着信通知モードが設定されている状態での着信動作を検出することを特徴とする請求項４記載のデータ処理装置。
【請求項６】
上記処理手段は、
上記識別情報に基づいて当該機器に対応したデータの保存先を検索する検索手段と、
この検索手段により検索された保存先からデータを再生出力する再生手段と
を含むことを特徴とする請求項４記載のデータ処理装置。
【請求項７】
上記処理手段は、
上記携帯端末機器の特定の動作が終了した時点で、上記再生手段によるデータ再生動作を停止する再生停止手段を含むことを特徴とする請求項６記載のデータ処理装置。
【請求項８】
上記携帯端末機器は、
ネットワーク上のサイトにアクセスするアクセス手段と、
このアクセス手段によってアクセスしたサイトからダウンロードしたデータを記憶する記憶手段と、
この記憶手段に記憶されたデータを無線通信により転送する転送手段と、
この転送手段によりデータを転送する際に、そのデータの保存先を指示する保存先指示手段と
を具備したことを特徴とする請求項１記載のデータ処理装置。
【請求項９】
上記転送手段は、上記携帯端末機器が充電動作中にあるときにデータ転送を行うことを特徴とする請求項８記載のデータ処理装置。
【請求項１０】
無線通信機能を備えたデータ処理装置に用いられるデータ処理方法であって、
携帯端末機器と所定の範囲内で無線通信により接続するステップと、
上記携帯端末機器に固有の識別情報を取得するステップと、
上記識別情報に基づいて当該機器に対応したデータの保存先を設定するステップと、
上記設定された保存先に上記携帯端末機器から転送されたデータを保存するステップと
を備えたことを特徴とするデータ処理方法。
【請求項１１】
無線通信機能を備えたデータ処理装置に用いられるデータ処理方法であって、
携帯端末機器と所定の範囲内で無線通信により接続するステップと、
上記携帯端末機器に固有の識別情報を取得するステップと、
上記識別情報に基づいて当該機器に対応したデータの保存先を設定するステップと、
上記設定された保存先に上記携帯端末機器から転送されたデータを保存するステップと
上記携帯端末機器の特定の動作を検出するステップと、
上記携帯端末機器の特定の動作が検出された場合に、上記保存先に保存されたデータを用いて上記特定の動作に関連した所定の処理を実行するステップと
を備えたことを特徴とするデータ処理方法。
【発明の詳細な説明】
【技術分野】
【０００１】
本発明は、例えば携帯電話のメモリに記憶されたデータを別の場所に保存する場合に用いて好適なデータ処理装置及びデータ処理方法に関する。
【背景技術】
【０００２】
携帯電話では、着信時に音楽を鳴らしたり、動画を表示するためのアプリケーションが普及している。ここでは代表的な例として、「着信メロディ」と呼ばれている着信用の音楽データについて説明する。
【０００３】
着信メロディを使用する動作環境は、携帯電話と、その音楽データを配信する専用のサイトからなる。ユーザは、携帯電話からインターネットを介して専用サイトにアクセスして、希望する音楽データをダウンロードする。ダウンロードした音楽データは、携帯電話内のメモリに保存される。以後は、携帯電話の着信機能により、着信があったときに、上記メモリに記憶された音楽データが着信メロディとして再生出力される。
【０００４】
なお、着信メロディの楽曲は、ダウンロードに際して、規定の料金をサイトに支払って入手するのが一般的である。
【０００５】
ところで、携帯電話の機能は飛躍的に向上しており、上述したような着信用の音楽データに限らず、動画データやゲームソフトなどの様々なデータを外部からダウンロードして利用することが可能である。しかしながら、携帯電話に内蔵されたメモリは比較的容量が少ないため、多数のデータをダウンロードすると、直ぐに容量オーバとなってしまう問題がある。
【０００６】
このような場合に、例えば携帯電話のメモリから不要なデータを削除して、容量を確保すればよいが、そのデータに支払った料金が無駄になる。また、後日、そのデータを必要とした場合に、改めてサイトからダウンロードする操作が必要となり、その手間と時間がかかり、また、料金的にも嵩んでしまうことになる。
【０００７】
従来、このような問題を解消する方法として、携帯電話に大容量の記憶装置を接続して、そこにデータを保存しておく方法が考えられている。例えば、特許文献１では、携帯電話と光ディスク装置（ＭＯ）をケーブルにて接続し、携帯電話から光ディスク装置にデータを転送して保存することや、その光ディスク装置に保存したデータを再び携帯電話に戻して再生することが開示されている。
【特許文献１】特開２００４−２２９１６５号公報
【発明の開示】
【発明が解決しようとする課題】
【０００８】
しかしながら、上記特許文献１のような方法では、携帯電話のデータを転送する場合に、その都度、ケーブルを持ち出して携帯電話と記憶装置とを接続しなければならないため、非常に不便である。記憶装置から携帯電話へデータを戻す場合も同様であり、ケーブルによる接続作業が必要となり、手間がかかるといった問題がある。
【０００９】
また、上記特許文献１では、携帯電話から転送されたデータは、記憶装置に単に蓄積されるだけである。このため、多数の携帯電話で記憶装置を共有すると、各機器のデータが混在してしまう問題があり、また、他人のデータを勝手に読み出せてしまうなどの問題もある。
【００１０】
そこで、本発明は、面倒な接続作業を必要とせずに、メモリ容量の少ない携帯端末機器のデータを転送可能とし、そのデータを当該機器に対応付けて保存管理することのできるデータ処理装置及びデータ処理方法を提供することを目的とする。
【課題を解決するための手段】
【００１１】
本発明の一観点によれば、携帯端末機器と所定の範囲内で無線通信により接続する接続手段と、この接続手段によって接続された上記携帯端末機器に固有の識別情報を取得する識別情報取得手段と、この識別情報取得手段によって得られた識別情報に基づいて当該機器に対応したデータの保存先を設定する保存先設定手段と、この保存先設定手段によって設定された保存先に上記携帯端末機器から転送されたデータを保存する保存手段とを具備したことを特徴とするデータ処理装置が提供される。
【００１２】
また、本発明の他の観点によれば、携帯端末機器と所定の範囲内で無線通信により接続する接続手段と、この接続手段によって接続された上記携帯端末機器に固有の識別情報を取得する識別情報取得手段と、この識別情報取得手段によって得られた識別情報に基づいて当該機器に対応したデータの保存先を設定する保存先設定手段と、この保存先設定手段によって設定された保存先に上記携帯端末機器から転送されたデータを保存する保存手段と、上記携帯端末機器の特定の動作を検出する動作検出手段と、この動作検出手段によって上記携帯端末機器の特定の動作が検出された場合に、上記保存手段により保存されたデータを用いて上記特定の動作に関連した所定の処理を実行する処理手段とを具備したことを特徴とするデータ処理装置が提供される。
【発明の効果】
【００１３】
本発明によれば、面倒な接続作業を必要とせずに、メモリ容量の少ない携帯端末機器のデータを転送することができ、さらに、その転送されたデータを当該機器に対応付けて保存管理することができる。したがって、携帯端末機器のメモリ容量の制限により一度入手したデータを削除しなくとも、そのデータを安全に保存しておくことができ、必要に応じて適宜使用することができる。
【発明を実施するための最良の形態】
【００１４】
以下、図面を参照して本発明の実施形態を説明する。
【００１５】
図１は本発明の一実施形態に係るデータ処理装置としてＤＶＤ（Digital Video Disc / Digital Versatile Disc）レコーダ、その通信相手となる携帯端末機器として携帯電話を例にした場合の通信システムの構成を示す図である。
【００１６】
ＤＶＤレコーダ１１は、記録型ＤＶＤをメディアに使う録画／再生機器である。今、このＤＶＤレコーダ１１がユーザの家庭内にテレビモニタ１２、スピーカ１３などのオーディオ機器と共に設置されているものとする。テレビモニタ１２は、ビデオ信号ケーブル１４を介してＤＶＤレコーダ１１に接続され、ＤＶＤレコーダ１１に記録された映像データなどを表示する。スピーカ１３は、オーディオ信号ケーブル１５を介して接続され、ＤＶＤレコーダ１１に記録された音声データなどを出力する。
【００１７】
ここで、このＤＶＤレコーダ１１には、Ｂｌｕｅｔｏｏｔｈ（登録商標）による近距離無線通信機能（以下、ＢＴ機能と称す）が搭載されている。Ｂｌｕｅｔｏｏｔｈ（登録商標）は、短距離の無線通信規格に準じた無線インタフェースであり、２．４ＧＨｚのＩＳＭ（Industrial Scientific Medical）帯の無線電波を用いて、およそ１０ｍの無線通信を実現するものである。
【００１８】
一方、携帯電話１６にも上記ＢＴ機能が搭載されており、ＤＶＤレコーダ１１との間で所定周波数帯の無線電波１７により互いにデータ通信可能に接続されている。また、この携帯電話１６は、基地局１９に無線電波１８により接続し、その基地局１９を介して外部端末との間で通信する。
【００１９】
基地局１９にはインターネットを含む公衆網２０が接続されており、その公衆網２０にはコンテンツサイト２１が接続されている。コンテンツサイト２１は、着信用の音楽データや動画データなどの各種コンテンツの配信を行う専用サイトである。ユーザは、携帯電話１６を用いてコンテンツサイト２１にアクセスすることで、所望の音楽データや動画データなどを入手することができる。
【００２０】
図２はコンテンツサイト２１のメニュー画面の一例を示す図である。
【００２１】
携帯電話１６からコンテンツサイト２１にアクセスすると、図２に示すようなメニュー画面２２が携帯電話１６に表示される。このメニュー画面２２には、コンテンツサイト２１が提供する各種コンテンツデータの一覧リストが設けられている。このメニュー画面２２上で所望のデータを選択すると、その選択されたデータがコンテンツサイト２１から配信され、携帯電話１６にダウンロードされる。
【００２２】
図２の例では、メニュー画面２２の中に音楽データの一覧リストが表示されている。このリスト上でユーザが選択した音楽データは携帯電話１６にダウンロードされた後、「着信メロディ」として利用することができる。なお、このコンテンツサイト２１からコンテンツデータを入手する場合には、そのコンテンツデータの種類に応じた料金を所定の手続きに従って支払う必要がある。
【００２３】
図３はＤＶＤレコーダ１１のハードウェア構成を示すブロック図である。
【００２４】
ＤＶＤレコーダ１１には、ＣＰＵ３１が備えられる。ＣＰＵ３１は、ＤＶＤレコーダ１１の全体の制御を行うものであり、プログラムに記述された手順に従ってＤＶＤレコーダ１１の各機能を実現するための処理を実行する。このＣＰＵ３１には、システムバス３０を介してメモリ３２、チューナ部３３、ビデオ信号処理部３４、ビデオ入出力部３５、Ｉ／Ｏ部３６、操作部３７、ＨＤＤ（hard disk drive）３８、ＤＶＤドライブ３９、ＢＴ通信部４０、電源マイコ４１などが接続されている。
【００２５】
メモリ３２は、各種アプリケーションプログラムなど、ＣＰＵ３１の起動に必要なデータを記憶している。上記各種アプリケーションプログラムには、ＢＴ機能を実現するためのアプリケーションプログラム（以下、ＢＴアプリと称す）が含まれる。また、ここでは、このメモリ３２に各機器のコンテンツデータを保存しておくものとする。このメモリ３２の容量は、携帯電話１６側のメモリ５２の容量よりもかなり大きいものとする。
【００２６】
チューナ部３３は、特定の放送局から配信される放送電波を受信する場合に用いられる。ビデオ信号処理部３４は、ビデオデータを所定の方式で圧縮するなどの処理を行う。ビデオ入出力部３５は、ビデオデータの入出力処理を行うものであり、テレビモニタ１２とスピーカ１３が接続されている。Ｉ／Ｏ部３６は、ＬＡＮ（Local Area Network）などのブロードバンド網に接続する部分である。
【００２７】
操作部３７は、このＤＶＤレコーダ１１を操作するための各種ボタンなどからなる。ＨＤＤ３８は、記録媒体としてＨＤを有し、そのＨＤに対するデータの記録／再生を行う。なお、このＨＤＤ３８は、例えばテレビ映像などを録画する場合などに利用されるが、特に必要なものではない。ＤＶＤドライブ３９は、記録媒体としてＤＶＤを有し、そのＤＶＤに各種データの記録／再生を行う。
【００２８】
ＢＴ通信部４０は、ＢＴ機能による無線通信を行う部分であり、図中の３９ａはその無線通信用のアンテナである。電源マイコ４１は、各回路部に対する電源供給制御を行う。電源部４２は、このＤＶＤレコーダ１１の駆動に必要な電源の供給を行う。
【００２９】
図４は携帯電話１６のハードウェア構成を示すブロック図である。
【００３０】
携帯電話１６には、ＣＰＵ５１が備えられる。ＣＰＵ５１は、携帯電話１６の全体の制御を行うものであり、プログラムに記述された手順に従って携帯電話１６の各機能を実現するための処理を実行する。このＣＰＵ５１には、システムバス５０を介してメモリ５２、操作部５３、表示部５４、無線通信部５５、ＢＴ通信部５６、電源部５７などが接続されている。
【００３１】
メモリ５２は、各種アプリケーションプログラムなど、ＣＰＵ５１の起動に必要なデータを記憶している。上記各種アプリケーションプログラムには、ＤＶＤレコーダ１１と無線通信するためのＢＴアプリが含まれる。
【００３２】
操作部５３は、携帯電話１６を操作するための各種ボタンなどからなる。表示部５４は、ＬＣＤ(Liquid Crystal Display)からなり、メニュー画面の表示などを行う。
【００３３】
無線通信部５５は、基地局１９との間で無線通信を行うための部分であり、アンテナ５５ａ、ＲＦ（Radio Frequency）部５５ｂ、Ｂａｓｅｂａｎｄ部５５ｃからなる。ＢＴ通信部５６は、ＢＴ機能による無線通信を行う部分であり、図中の５６ａはその無線通信用のアンテナである。電源部５７は、携帯電話１６の駆動に必要な電源の供給を行うものである。この電源部５７としては、充電可能なバッテリが用いられる。
【００３４】
次に、本システムの動作について説明する。なお、以下の各シーケンス図に示される処理は、コンテンツサイト２１、携帯電話１６、ＤＶＤレコーダ１１の各機器に搭載されたマイクロコンピュータ（ＣＰＵ）がそれぞれに所定のプログラムを読み込むことで実行される。
【００３５】
（コンテンツデータの管理方法）
まず、図５乃至図８を参照して、携帯電話１６にダウンロードしたコンテンツデータの管理方法について説明する。
【００３６】
図５は携帯電話１６を用いてコンテンツサイト２１からコンテンツデータをダウンロードする場合の処理手順を示すシーケンス図である。
【００３７】
まず、ユーザは、携帯電話１６を操作して表示部５４に所定のアクセス画面を表示させる（ステップＡ１１）。そして、このアクセス画面上でＩＤやパスワードを入力するなどして、コンテンツサイト２１にアクセスする（ステップＡ１２）。なお、このコンテンツサイト２１に対する接続は、図１に示した基地局１９を介して行われる。
【００３８】
コンテンツサイト２１では、携帯電話１６から接続要求があると、そのときに携帯電話１６から送られた来たＩＤやパスワードに基づいて携帯電話１６を認証する（ステップＡ１３）。携帯電話１６を認証できた場合には、コンテンツサイト２１は携帯電話１６に対してサイト情報を送信する（ステップＡ１４）。このサイト情報には、コンテンツサイト２１が提供しているコンテンツデータの種類などが含まれている。
【００３９】
携帯電話１６では、このサイト情報を受信することにより、図２に示したメニュー画面２２を表示する（ステップＡ１５）。このメニュー画面２２には、コンテンツサイト２１が提供する各種コンテンツデータの一覧リストが設けられている。ユーザがこのメニュー画面２２上で所望のデータを選択操作すると（ステップＡ１６）、そのデータの配信要求がコンテンツサイト２１に送られる（ステップＡ１７）。
【００４０】
コンテンツサイト２１では、この配信要求に応答してコンテンツデータを配信する（ステップＡ１８）。コンテンツサイト２１から配信されたコンテンツデータは、携帯電話１６にダウンロードされて（ステップＡ１９）、携帯電話１６内のメモリ１２に保存される（ステップＡ２０）。
【００４１】
この場合、例えばコンテンツサイト２１からダウンロードしたコンテンツデータが着信用の音楽データや動画データであれば、これらのデータを携帯電話１６の着信機能に設定しておくことで、着信時に通常の着信音に変えて再生することができる。
【００４２】
図６は携帯電話１６にダウンロードしたコンテンツデータをＤＶＤレコーダ１１に転送する場合の処理手順を示すシーケンス図である。
【００４３】
まず、ユーザは携帯電話１６に搭載されたＢＴアプリを起動しておく（ステップＢ１１）。なお、このときＤＶＤレコーダ１１側のＢＴアプリも起動状態にあり、所定の範囲内（例えば１０ｍの範囲）であれば、いつでも、両者間で無線通信できる状態にあるとする。
【００４４】
携帯電話１６は、ＢＴ通信部５６を通じて所定周波数帯の無線電波１７を発信して接続相手を探す（ステップＢ１２）。そして、接続相手であるＤＶＤレコーダ１１を確認した場合に（ステップＢ１２のＹｅｓ）、携帯電話１６は所定の通信プロトコルに従ってＤＶＤレコーダ１１に接続要求を行い、両者間の無線リンクを確立する（ステップＢ１３）。もし、近くにＤＶＤレコーダ１１が存在せずにリンク確立に失敗した場合には、無線リンクを再度確立するための作業をリトライする。
【００４５】
ここで、無線リンクが確立すると、携帯電話１６は、ＤＶＤレコーダ１１に対してデータ保存を指示する（ステップＢ１４）。この場合、ＤＶＤレコーダ１１に各機器に対応したフォルダが既に設定されていれば、どのフォルダに保存するのをコマンドにより指示する。
【００４６】
また、保存先のフォルダが未設定の場合には、ＤＶＤレコーダ１１は、携帯電話１６の識別情報を取得し（ステップＢ１５）、その識別情報に基づいて当該機器専用のフォルダを例えばメモリ３２内に作成する（ステップＢ１６）。
【００４７】
なお、上記識別情報には、ＢＴ（Ｂｌｕｅｔｏｏｔｈ）アドレスが用いられる。ＢＴアドレスは、４８ビットのＩＥＥＥ８０２標準に準拠した識別子であり、予め各機器毎に与えられている。このＢＴアドレスは、リンク確立時に相手機器から送られてくる。
【００４８】
続いて、携帯電話１６は、メモリ３２から転送対象とするコンテンツデータを選択し（ステップＢ１７）、その選択したデータをＢＴ通信部４０によりＤＶＤレコーダ１１に転送する（ステップＢ１８）。
【００４９】
なお、携帯電話１６からコンテンツデータを転送する場合に、メモリ３２に記憶されている全てのコンテンツデータを転送しても良いし、その中で任意に指定されたデータのみを転送するようにしても良い。全データを転送するか、指定データのみを転送するのかは、例えば図７に示すような転送設定画面６１にてユーザが事前に設定しておく。
【００５０】
この転送設定画面６１には、ラジオボタン６２、６３が設けられている。ラジオボタン６２を選択すると、メモリ３２に記憶されている全てのコンテンツデータが転送される。ラジオボタン６３を選択すると、各データの一覧画面６４が表示され、その一覧画面６４の中で選択したコンテンツデータのみが転送されることになる。
【００５１】
ＤＶＤレコーダ１１では、携帯電話１６から転送されたコンテンツデータを受信すると、そのコンテンツデータを当該携帯電話１６のＢＴアドレスに対応した所定のフォルダに保存する（ステップＢ２０）。なお、ここでは、メモリ３２内にフォルダを作成して、ここにデータを保存するものとしているが、例えばＤＶＤドライブ３９を起動してＤＶＤなどのメディアに保存することでも良い。
【００５２】
図８は各携帯電話のＢＴアドレスとＤＶＤレコーダ１１のフォルダとの関係を示す図である。今、３台の携帯電話Ａ，Ｂ，ＣとＤＶＤレコーダ１１との間で無線通信可能な場合を想定する。ＤＶＤレコーダ１１には、これらの携帯電話Ａ，Ｂ，Ｃに対応したフォルダＡ，Ｂ，Ｃが存在する。
【００５３】
携帯電話Ａから転送されたコンテンツデータは、その携帯電話ＡのＢＴアドレスである「00-AA-BB-CC-DD-01」に1対1の関係を持ったフォルダＡに保存されることになる。同様に、携帯電話Ｂから転送されたコンテンツデータは、その携帯電話ＢのＢＴアドレスである「00-AA-BB-CC-DD-0２」に対応したフォルダＢに保存される。また、携帯電話Ｃから転送されたコンテンツデータは、その携帯電話ＣのＢＴアドレスである「00-AA-BB-CC-DD-03」に対応したフォルダＣに保存される。
【００５４】
このように、複数台の携帯電話でＤＶＤレコーダ１１を共有するような場合に、それぞれに割り付けられたＢＴアドレスに基づいて各機器のデータが保存管理される。したがって、各機器のデータが混在するようなことはなく、また、データの取り出しにはＢＴアドレスを必要とするため、他人が勝手に読み出すことを防止できる。
【００５５】
図９はＤＶＤレコーダ１１に保存したコンテンツデータを携帯電話１６に戻す場合の処理手順を示すシーケンス図である。
【００５６】
まず、ユーザは携帯電話１６に搭載されたＢＴアプリを起動しておく（ステップＣ１１）。なお、このときＤＶＤレコーダ１１側のＢＴアプリも起動状態にあり、所定の範囲内（例えば１０ｍの範囲）であれば、いつでも、両者間で無線通信できる状態にあるとする。
【００５７】
携帯電話１６は、ＢＴ通信部５６を通じて所定周波数帯の無線電波１７を発信して接続相手を探す（ステップＣ１２）。そして、接続相手であるＤＶＤレコーダ１１を確認した場合に（ステップＣ１２のＹｅｓ）、携帯電話１６は所定の通信プロトコルに従ってＤＶＤレコーダ１１に接続要求を行い、両者間の無線リンクを確立する（ステップＣ１３）。もし、近くにＤＶＤレコーダ１１が存在せずにリンク確立に失敗した場合には、無線リンクを再度確立するための作業をリトライする。
【００５８】
ここで、無線リンクが確立すると、携帯電話１６は、ＤＶＤレコーダ１１に対してデータ返却を指示する（ステップＣ１４）。ＤＶＤレコーダ１１は、携帯電話１６からデータ返却の指示を受けると、その携帯電話１６の識別情報であるＢＴアドレスを取得する（ステップＣ１５）。そして、ＤＶＤレコーダ１１は、そのＢＴアドレスに基づいて当該機器のデータの保存先（フォルダ）を検索する（ステップＣ１６）。この場合、図８に示したように、例えば携帯電話１６が携帯電話Ａであれば、その携帯電話ＡのＢＴアドレスである「00-AA-BB-CC-DD-01」に基づいてフォルダＡを保存先として検索することになる。
【００５９】
このようにして、保存先を検索すると、ＤＶＤレコーダ１１は、その保存先に記憶されているコンテンツデータを読み出し（ステップＣ１７）、これをＢＴ通信部４０を通じて携帯電話１６に転送する（ステップＣ１８）。携帯電話１６では、ＤＶＤレコーダ１１から転送されたコンテンツデータを受信することにより、これをメモリ５２に保存する（ステップＣ１８）。
【００６０】
以上のように、携帯電話１６を用いて入手したコンテンツデータをＤＶＤレコーダ１１に保存しておくことができ、また、ＤＶＤレコーダ１１に保存したデータを必要に応じて携帯電話１６に戻すことも可能である。したがって、携帯電話１６のメモリ容量の制限により一度入手したデータを削除しなくとも、そのデータを安全に保存しておくことができ、必要に応じて適宜使用することができる。
【００６１】
また、携帯電話１６とＤＶＤレコーダ１１との接続形態は無線通信である。したがって、ケーブル接続のような面倒な作業は不要であり、ユーザが特に意識することなく、両者間のデータ転送を実現できる。すなわち、例えばユーザが帰宅したときに、そのユーザが持つ携帯電話１６からＤＶＤレコーダ１１へ自動的にデータを転送したり、逆に、ＤＶＤレコーダ１１から携帯電話１６へデータを転送するといったことを自動的に行うことができる。
【００６２】
また、ＤＶＤレコーダ１１では、１台の携帯電話１６に限らず、図８で説明したように多数の携帯電話を通信相手として、それぞれの機器のデータを個別に管理することができる。この場合、各機器毎に固有の識別情報（ＢＴアドレス）に基づいてデータを管理するため、他人が勝手にデータを読み出すことを防止してセキュリティを確保することができる。
【００６３】
なお、上記実施形態では、携帯電話１６とＤＶＤレコーダ１１とが無線通信により接続されたときに、携帯電話１６からＤＶＤレコーダ１１にデータ転送を行うものとして説明したが、例えば携帯電話１６が図示せぬ充電器（クレードル）にセットされたときにデータ転送を行うようにしても良い。
【００６４】
具体的には、携帯電話１６の充電動作を充電器の装着状態により検出する。そして、携帯電話１６の充電動作が検出された場合に、メモリ５２に記憶されたコンテンツデータを読み出し、ＢＴ通信部５６によりＤＶＤレコーダ１１に転送する。このようにすれば、ユーザが特に意識しなくとも、携帯電話１６を充電している間にコンテンツデータをＤＶＤレコーダ１１に転送することができる。
【００６５】
（マナーモード時の着信通知方法）
次に、図１０を参照して、携帯電話１６がマナーモード設定中であった場合の着信通知方法について説明する。なお、マナーモードとは、携帯電話１６の着信機能の１つであり、「無音着信通知モード」とも呼ばれる。このマナーモードが設定されているときには、例えばバイブレータなどを利用して、無音にてユーザに着信があったことが通知される。このマナーモードは、所定の操作により任意に設定／解除することができる。
【００６６】
図１０はＤＶＤレコーダ１１の再生機能を利用したマナーモード時の着信通知処理を示すシーケンス図である。
【００６７】
今、携帯電話１６がＤＶＤレコーダ１１の近くにあり、待受けの状態にあるとする（ステップＤ１１）。ここで、着信があると（ステップＤ１２）、携帯電話１６がマナーモード設定中でなければ（ステップＤ１３のＮｏ）、通常の着信処理が実行される（ステップＤ１４）。すなわち、予め設定された着信音などがスピーカを通じて出力される。
【００６８】
一方、携帯電話１６がマナーモード設定中であった場合（ステップＤ１３のＹｅｓ）。携帯電話１６は所定の通信プロトコルに従ってＤＶＤレコーダ１１に接続要求を行い、両者間の無線リンクを確立する（ステップＤ１５）。そして、無線リンクを確立後、携帯電話１６は携帯電話１６に対して着信コマンドを送信して、着信があった旨を伝える（ステップＤ１６）。
【００６９】
ＤＶＤレコーダ１１では、着信コマンドを受信すると、携帯電話１６の識別情報であるＢＴアドレスを取得する（ステップＤ１７）。ＤＶＤレコーダ１１は、この識別情報に基づいて当該携帯に対応したデータの保存先（フォルダ）を検索する（ステップＤ１８）。そして、ＤＶＤレコーダ１１は、その検索したフォルダから予め着信用として設定されているコンテンツデータを読み出し、これをオーディオ機器を通じて再生出力する（ステップＤ１９）。
【００７０】
この場合、例えばコンテンツデータが着信用の音楽データであれば、ＤＶＤレコーダ１１に接続されたスピーカ１３からその音楽データが出力される。また、コンテンツデータが着信用の動画データであれば、ＤＶＤレコーダ１１に接続されたテレビモニタ１２にその動画データが表示されることになる。
【００７１】
また、ユーザが着信に気づいて、携帯電話１６の着信ボタンを押下するなどの着信応答を行うと（ステップＤ２０）、携帯電話１６から応答コマンドがＤＶＤレコーダ１１に送られる（ステップＤ２１）。この応答コマンドは、着信動作の終了を意味している。よって、ＤＶＤレコーダ１１では、この応答コマンドを受けることで再生動作を停止する（ステップＤ２２）。
【００７２】
このように、携帯電話１６がマナーモード設定中の場合には、ＤＶＤレコーダ１１を通じて着信があったことが通知される。したがって、例えば携帯電話１６をマナーモードにしたままでカバンや机の中に入れてあっても、着信があったときには、ユーザはそれに直ぐにづいて応答することができる。
【００７３】
（ＤＶＤレコーダのデータ編集機能）
次に、ＤＶＤレコーダ１１のデータ編集機能について説明する。
【００７４】
ＤＶＤレコーダ１１は、携帯電話１６の着信有無に関わらず、機器単独でも音楽データや動画データを再生することが可能である。また、ＤＶＤレコーダ１１は、これらのデータを相手機器の機種に応じて編集する機能を備える。
【００７５】
図１１はＤＶＤレコーダ１１のデータ編集処理を示すフローチャートである。今、ＤＶＤレコーダ１１のメモリ３２の中に転送用として設定されたコンテンツデータが記憶されているものとする。このコンテンツデータは、携帯電話１６から転送されたデータであっても良いし、携帯電話１６以外の別の機器（例えばデジタルムービ）から取得したデータであっても良い。
【００７６】
ユーザの持つ携帯電話１６がＤＶＤレコーダ１１に近づくと、所定の通信プロトコルに従って両者間の無線リンクが確立される（ステップＥ１１）。このとき、ＤＶＤレコーダ１１は、携帯電話１６からＢＴアドレスと共にその機種情報を取得することにより、その相手機器の機種を判断する（ステップＥ１２）。
【００７７】
次に、ＤＶＤレコーダ１１は、メモリ３２に記憶されたコンテンツデータを読み出し、そのコンテンツデータを相手機器の機種に応じて編集する（ステップＥ１３）。
【００７８】
具体的には、例えばＤＶＤレコーダ１１の持つコンテンツデータが音楽データであり、相手機器が携帯電話であれば、そのメモリ容量を考慮して音楽データを着信メロディ用に短く編集する。さらに、携帯電話の機種によっては、着信メロディを単音でしか再生出力できないものもあるため、このような再生性能の違いも考慮して音楽データに所定の編集を施す。
【００７９】
データ編集後、ＤＶＤレコーダ１１はその編集後のコンテンツデータをＢＴ通信部４０を通じて相手機器である携帯電話１６に転送する（ステップＥ１４）。
【００８０】
このように、ＤＶＤレコーダ１１側で相手機器の機種に応じてコンテンツデータを編集し、その編集後のコンテンツデータを転送する。したがって、相手機器である携帯電話１６では、ＤＶＤレコーダ１１から転送されたコンテンツデータをそのまま着信音などに利用することができる。
【００８１】
なお、上記実施形態では、本発明のデータ処理装置としてＤＶＤレコーダを例にして説明したが、記録／再生機能を備えた電子機器であれば、そのすべてに適用可能である。また、データ処理装置の通信相手となる携帯端末機器についても、携帯電話に限らず、例えばＰＤＡ（Personal Digital Assistant）や携帯型のデジタルオーディオプレイヤーなどであっても良い。要は、携帯性を有する小型の機器で取得したデータを大容量の別の機器へ無線通信により転送する構成であれば、これらの機器の種類に特に限定されるものではない。
【００８２】
また、携帯端末機器が外部から取得可能なコンテンツデータには、音楽データや動画データだけでなく、例えばゲームアプリケーションなどのプログラムなども含まれる。プログラムはデータ量が多いため、これをデータ処理装置に転送して保存しておくことで、携帯端末機器側のメモリを有効に使用することができる。
【００８３】
すなわち、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８４】
【図１】図１は本発明の一実施形態に係るデータ処理装置としてＤＶＤレコーダ、その通信相手となる携帯端末機器として携帯電話を例にした場合の通信システムの構成を示す図である。
【図２】図２は同実施形態におけるコンテンツサイトのメニュー画面の一例を示す図である。
【図３】図３は同実施形態におけるＤＶＤレコーダのハードウェア構成を示すブロック図である。
【図４】図４は同実施形態における携帯電話のハードウェア構成を示すブロック図である。
【図５】図５は同実施形態における携帯電話を用いてコンテンツサイトからコンテンツデータをダウンロードする場合の処理手順を示すシーケンス図である。
【図６】図６は同実施形態における携帯電話にダウンロードしたコンテンツデータをＤＶＤレコーダに転送する場合の処理手順を示すシーケンス図である。
【図７】図７は同実施形態における携帯電話の転送設定画面の一例を示す図である。
【図８】図８は同実施形態における各携帯電話のＢＴアドレスとＤＶＤレコーダのフォルダとの関係を示す図である。
【図９】図９は同実施形態におけるＤＶＤレコーダに保存したコンテンツデータを携帯電話に戻す場合の処理手順を示すシーケンス図である。
【図１０】図１０は同実施形態におけるＤＶＤレコーダの再生機能を利用したマナーモード時の着信通知処理を示すシーケンス図である。
【図１１】図１１は同実施形態におけるＤＶＤレコーダのデータ編集処理を示すフローチャートである。
【符号の説明】
【００８５】
１１…ＤＶＤレコーダ、１２…テレビモニタ、１３…スピーカ、１４…ビデオ信号ケーブル、１５…オーディオ信号ケーブル、１６…携帯電話、１７…無線電波、１８…無線電波、１９…基地局、２０…公衆網、２１…コンテンツサイト、２２…コンテンツサイトのメニュー画面、３０…システムバス、３１…ＣＰＵ、３２…メモリ、３３…チューナ部、３４…ビデオ信号処理部、３５…ビデオ入出力部、３６…Ｉ／Ｏ部、３７…操作部、３８…ＨＤＤ、３９…ＤＶＤドライブ、４０…ＢＴ通信部、４０ａ…アンテナ、４１…電源マイコン、４２…電源部、５０…システムバス、５１…ＣＰＵ、５２…メモリ、５３…操作部、５４…表示部、５５…無線通信部、５５ａ…アンテナ、５５ｂ…ＲＦ部、５５ｃ…Ｂａｓｅｂａｎｄ部、５６…ＢＴ通信部、５６ａ…アンテナ、５７…電源部、６１…転送設定画面、６２および６３…ラジオボタン、６４…一覧画面。
【図１】
2006186438.tif 000003
【図２】
2006186438.tif 000004
【図３】
2006186438.tif 000005
【図４】
2006186438.tif 000006
【図５】
2006186438.tif 000007
【図６】
2006186438.tif 000008
【図７】
2006186438.tif 000009
【図８】
2006186438.tif 000010
【図９】
2006186438.tif 000011
【図１０】
2006186438.tif 000012
【図１１】
2006186438.tif 000013
【手続補正書】
【提出日】平成16年12月24日(2004.12.24)
【手続補正１】
【補正対象書類名】図面
【補正対象項目名】図１０
【補正方法】変更
【補正の内容】
【図１０】
2006186438.tif 000014